(57)【要約】【課題】画像形成装置への電力供給が停止しているとき中途半端な起動処理を無くし、次の起動時、回路部を確実に正常に起動させる。【解決手段】画像形成装置は、電力供給開始で起動処理を行い動作する回路部と、通常モードと省電力モードの切替指示を受け付ける操作部と、供給源に接続される電源コードと、画像形成装置への電力の供給の有無を検知するための検知部と、回路部への電力供給のＯＮ／ＯＦＦを制御し、通常モードでは回路部への電力供給を行い、省電力モードでは全部又は一部の回路部への電力供給を停止し、移行指示により回路部への電力供給を開始して回路部と通信する電力制御部と、電力供給をＯＮ状態とされた回路部に電力を供給する電源部と、を含み、電力制御部は画像形成装置への電力供給の停止が検知されたとき、移行指示を受け付けても回路部を起動させない。【選択図】図７
2015194600.tif 000002
【特許請求の範囲】
【請求項１】
電力供給が開始されると起動処理を行い、電力供給を受けて動作する回路部と、
通常モードと、前記通常モードよりも画像形成装置での消費電力を減らす省電力モード間でのモード切替指示を受け付ける操作部と、
外部の電源から電力の供給を受けるために外部の供給源に接続される電源コードと、
前記電源コードによる画像形成装置への電力の供給が行われているか否かを検知するための検知部と、
前記回路部への電力供給のＯＮ／ＯＦＦを制御し、前記通常モードでは前記回路部への電力供給を行い、前記省電力モードでは全部又は一部の前記回路部への電力供給を停止し、前記操作部で前記省電力モードから前記通常モードに切り替える指示である移行指示がなされたとき、前記回路部への電力供給を開始して、起動させた前記回路部と信号のやりとりを行う電力制御部と、
前記電源コードを経て画像形成装置に入力される電力を変換し、前記電源コードが前記供給源と接続された状態では、前記電力制御部に電力を供給して前記電力制御部を動作させ、又、前記電力制御部が電力供給をＯＮ状態とした前記回路部に電力を供給する電源部と、を含み、
前記電力制御部は前記検知部を用いた画像形成装置への電力供給の停止が検知されたときである停止検知時、前記操作部が前記移行指示を受け付けても、前記回路部への電力供給を開始せず前記回路部を起動させないことを特徴とする画像形成装置。
【請求項２】
前記電力制御部は前記停止検知時から予め定められた不起動時間が経過するまで、前記操作部が前記移行指示を受け付けても、前記回路部への電力供給を開始せず前記回路部を起動させないことを特徴とする請求項１記載の画像形成装置。
【請求項３】
前記省電力モードとして、第１省電力モードと、前記第１省電力モードより電力を供給する前記回路部の数が多く前記通常モードより電力を供給する前記回路部の数が少ない前記第２省電力モードを有し、
前記操作部は第１省電力モードから前記通常モードへの前記移行指示と、前記第２省電力モードから前記通常モードへの前記移行指示とを受け付け、
前記電力制御部は画像形成装置への電力供給の停止が検知されたのが前記第１省電力モードのとき、前記停止検知時から前記第１省電力モード用の第１不起動時間が経過するまで前記操作部が前記移行指示を受け付けても前記回路部への電力供給を開始せず、画像形成装置への電力供給の停止が検知されたのが前記第２省電力モードのとき、前記停止検知時から前記第２省電力モード用の第２不起動時間が経過するまで、前記操作部が前記移行指示を受け付けても前記回路部への電力供給を開始せず、
前記第１不起動時間は前記第２不起動時間よりも長いことを特徴とする請求項２に記載の画像形成装置。
【請求項４】
前記電力制御部は前記電源部の出力電圧の大きさを計測し、前記電源部の出力電圧値が前記停止検知時から前記電力制御部又は前記回路部のうち最も小さい駆動電圧の前記回路部が駆動しない大きさとなるまで、前記操作部が前記移行指示を受け付けても、前記回路部への電力供給を開始せず前記回路部に起動させないことを特徴とする請求項１乃至３のいずれか１項に記載の画像形成装置。
【請求項５】
前記電力制御部は前記停止検知後、前記電源部の出力電圧値が電源部の出力電圧値が予め定められた大きさに回復すると、前記回路部への電力供給を開始して前記回路部を起動させることを特徴とする請求項４に記載の画像形成装置。
【請求項６】
前記電力制御部は前記停止検知時から前記不起動時間が経過するまでの間に前記電力制御部と前記回路部のいずれか一方、又は、両方を安全にシャットダウンするための予め定められたシャットダウン時処理を行うことを特徴とする請求項２乃至５のいずれか１項に記載の画像形成装置。
【発明の詳細な説明】
【技術分野】
【０００１】
本発明はスイッチ等の操作により、省電力モードと画像形成装置を利用できるモードである通常モードとの切り替えを行える画像形成装置に関する。
【背景技術】
【０００２】
一般に、複合機、複写機、プリンター、ファクシミリ等の画像形成装置は電源に接続されることで、電力の供給を受ける。例えば、画像形成装置の電源コードをコンセントに接続し、画像形成装置は商用電源から電力の供給を受ける。通常、画像形成装置では、スイッチなどで主電源のＯＦＦがなされると、情報保護など必要な処理が行われてから主電源が落ちる。しかし、停電や、使用者の足に電源コードに引っかかった、などの要因により画像形成装置への電力供給が意図せずに停止してしまうことがある。そこで、停電のような急な電力供給の停止が生じても、処理中の情報保護を図る画像形成装置が特許文献１に記載されている。
【０００３】
具体的に特許文献１には、ＡＣ電圧をＤＣ電圧に変換するアクティブフィルタと、アクティブフィルタで変換されたＤＣ電圧を所定レベルの電圧に変換して、負荷および当該負荷を制御する負荷制御手段に夫々供給するＤＣ／ＤＣ変換手段として第１のＤＣ／ＤＣコンバーターと負荷制御手段に供給する第２のＤＣ／ＤＣコンバーターと、を含み、ＤＣ／ＤＣ変換手段の動作を制御する電源制御手段と、ＡＣ電源の供給の切断を検出する検出手段と、を備え、電源制御手段は、検出手段でＡＣ電源の供給の切断を検出した場合に、ＤＣ／ＤＣ変換手段による負荷制御手段への電圧の供給を一定時間継続させるべく、電源制御手段は、第２のＤＣ／ＤＣコンバーターによる負荷制御手段への電圧の供給を一定時間継続させるべく第１のＤＣ／ＤＣコンバーターの動作を停止させる。この構成により、アクティブフィルタのコンデンサーに蓄積された電荷が第２のＤＣ／ＤＣコンバーターだけで消費されるようにして、負荷制御手段への電圧の供給を一定時間継続させる（特許文献１：請求項１、請求項２、段落［０００８］参照）。
【特許文献１】特開２００２−３５９９７０
【発明の概要】
【発明が解決しようとする課題】
【０００４】
画像形成装置を印刷できる状態（以下、「通常モード」と称する。）で保つには一定の電力を必要とする。そのため、通常、画像形成装置には、回路部や回路部以外の負荷（モーターやセンサーなど）への電力供給を停止する省電力モードが搭載される。ここでいう回路部は画像形成装置内の集積回路や、特定の処理専用のチップや、メモリーなどの記憶装置である。省電力モードになると、画像形成装置は直ちに印刷できなくなる状態となるが、通常モードに比べ、画像形成装置の消費電力は小さくなる。
【０００５】
そして、画像形成装置のモードを操作できるようにするため、省電力モードと通常モードの切り替えを指示するためのスイッチ（キー）が設けられることがある。スイッチが操作されると、電力供給が停止されていた制御用や処理用の回路やメモリーの記憶装置のような回路部に電力供給が開始される。これにより、回路部での起動処理が開始される。起動の処理により回路部の初期化や設定値の設定がなされ、印刷などの画像形成装置の機能が使用できる状態となる。
【０００６】
一方、画像形成装置では商用電源などの電力源から供給された電力を変換して、画像形成装置内の回路部に適した１又は複数種の駆動電圧を生成する電源装置が設けられる。例えば、電源装置は商用電源の交流を整流や電圧調整などを行って、画像形成装置内の制御回路（集積回路）や、メモリーの駆動用の電圧を生成する。
【０００７】
一般に、電源装置には整流や電圧調整のため、コンデンサーやトランスやコイルが含まれる。そして、電源装置内のコンデンサーやトランスにはエネルギーが蓄えられている。そのため、停電や電源コードの抜け落ちにより画像形成装置に対する電力供給が停止しても、次第に低下する電源装置の出力値が駆動電圧値を下回るまで、制御回路やメモリーなどの回路部は一定時間動作し続ける。尚、回路部が動作を続ける時間は電力を供給している回路部の数（停電等で画像形成装置に対する電力供給の停止が生じたときの画像形成装置の消費電力の大きさ）による。
【０００８】
特に、近年では、省電力モードでの消費電力が極めて低いものがある。このような画像形成装置では、急な画像形成装置への電力供給の停止から、数十秒間以上、画像形成装置内の制御回路やメモリーが動作し続ける場合もある。
【０００９】
ここで、停電などで画像形成装置への電力供給が停止している状態で、使用者は知らずに、省電力モードから通常モードへの復帰を指示する操作（スイッチを押す操作）を行う場合がある。このとき、回路部の一部は生きている（駆動し続けている）場合がある。これらの条件が重なり、画像形成装置に電力の供給がなされていないのに、電力供給を停止していた回路部への電力供給開始により回路部の起動が開始される場合がある。そして、蓄積されていたエネルギーの消費や電源装置の出力低下により、開始された初期化や設定値の設定のような起動処理の途中で終了してしまう場合がある。
【００１０】
例えば、電源装置の出力電圧の低下により、正常な駆動電圧でない状態で制御回路内のレジスタの設定値の設定や、回路での通信や、メモリーに対する読み書きが行われ、誤った値が制御回路やメモリーに登録されてしまうことがある。又、電源装置の出力低下により、初期化や設定値の設定が強制的に終了してしまうこともある。更に、起動処理の中途での中断により、回路自体にダメージを与えてしまう場合もある。これらの中途半端な起動処理によって、次の起動時（次の電力供給開始時）、回路部を正常に起動させることができなくなる場合があるという問題がある。
【００１１】
尚、特許文献１記載の画像形成装置は、ＡＣ電源が誤ってＯＦＦしたとき、処理中の情報を記憶させて、情報の保護を図るものであり、中途半端な起動処理によって、次の起動時、回路部を正常に起動させることができなくなる場合があるという問題を解決することはできない。
【００１２】
本発明は上記従来技術の問題点に鑑み、画像形成装置への電力供給が停止しているとき中途半端な起動処理を無くし、次の起動時、回路部を確実に正常に起動させる。
【課題を解決するための手段】
【００１３】
上記課題を解決するため、請求項１に係る画像形成装置は、電力供給が開始されると起動処理を行い、電力供給を受けて動作する回路部と、通常モードと、前記通常モードよりも画像形成装置での消費電力を減らす省電力モード間でのモード切替指示を受け付ける操作部と、外部の電源から電力の供給を受けるために外部の供給源に接続される電源コードと、前記電源コードによる画像形成装置への電力の供給が行われているか否かを検知するための検知部と、前記回路部への電力供給のＯＮ／ＯＦＦを制御し、前記通常モードでは前記回路部への電力供給を行い、前記省電力モードでは全部又は一部の前記回路部への電力供給を停止し、前記操作部で前記省電力モードから前記通常モードに切り替える指示である移行指示がなされたとき、前記回路部への電力供給を開始して、起動させた前記回路部と信号のやりとりを行う電力制御部と、前記電源コードを経て画像形成装置に入力される電力を変換し、前記電源コードが前記供給源と接続された状態では、前記電力制御部に電力を供給して前記電力制御部を動作させ、又、前記電力制御部が電力供給をＯＮ状態とした前記回路部に電力を供給する電源部と、を含み、前記電力制御部は前記検知部を用いた画像形成装置への電力供給の停止が検知されたときである停止検知時、前記操作部が前記移行指示を受け付けても、前記回路部への電力供給を開始せず前記回路部を起動させないこととした。
【発明の効果】
【００１４】
本発明によれば、画像形成装置への電力供給が停止しているとき中途半端な起動処理を無くすことができる。これにより、正常な駆動電圧でない状態で回路部内のレジスタの設定値の設定や、回路部での通信や、メモリーに対する読み書きが行われることにより、誤った値が制御回路やメモリーに登録されてしまうことが無くなる。又、電源装置の出力低下により、初期化や設定値の設定が強制的に終了してしまうことも無くなる。従って、次の起動時、制御用、処理用の回路や、メモリーのような回路部を確実に正常に起動させることができる。
【図面の簡単な説明】
【００１５】
【図１】プリンターの概略構成を示す模型的正面断面図である。
【図２】プリンターのハードウェア構成の一例を示すブロック図である。
【図３】電圧生成とプリンターの各部分への電力供給の流れの一例を示すブロック図である。
【図４】プリンターの負荷部分に対する電力供給制御を説明するための説明図である。
【図５】プリンターでの各モードの切替を説明するための説明図である。
【図６】電源コードの挿入時の起動の流れの一例を示すタイミングチャートである。
【図７】プリンターへの電力供給が停止したときの電圧降下の流れの一例を示すタイミングチャートである。
【図８】プリンターへの電力供給が停止している状態で第１省電力モードのとき、起動スイッチが押された場合の制御の流れの一例を示すフローチャートである。
【図９】プリンターへの電力供給が停止している状態で第２省電力モードのとき、起動スイッチが押された場合の制御の流れの一例を示すフローチャートである。
【発明を実施するための形態】
【００１６】
以下、本発明の実施形態を図１〜図９を用いて説明する。画像形成装置としてプリンター１００を例に挙げて説明する。但し、各実施の形態に記載される構成、配置等の各要素は発明の範囲を限定せず、単なる説明例にすぎない。又、本発明はプリンター１００に限らず、複合機、複写機、ＦＡＸ装置などの他種の画像形成装置にも適用することができる。
【００１７】
（画像形成装置の概略）
まず、図１を用いてトナー像を形成し、電子写真方式のプリンター１００（画像形成装置に相当）の概略を説明する。そして、図１は、プリンター１００の概略構成を示す模型的正面断面図である。
【００１８】
図１に示すように、本実施形態に係るプリンター１００は、下方から、給紙部２ａ、搬送部２ｂ、画像形成部３ａ、定着部３ｂ等を備える。
【００１９】
本実施形態では、給紙部２ａはプリンター１００の最下部に２つ設けられる。各給紙部２ａには各種（普通紙、プリンター１００用、ＯＨＰシート等）、各サイズ（Ａ４、Ｂ５等）の用紙が収容される。そして、各給紙部２ａに設けられた給紙ローラー２１は積載された用紙のうち、最上位の用紙と当接する。給紙時にいずれかの給紙ローラー２１が回転する。各給紙ローラー２１はモーター３Ｍ等の駆動装置（不図示）により回転駆動する。そして、用紙は１枚ずつ搬送部２ｂに送り出される。
【００２０】
搬送部２ｂは給紙部２ａから送り出された用紙を、画像形成部３ａを経て、排出トレイ２２まで用紙を搬送する。搬送部２ｂには、搬送経路に沿って用紙をガイドするガイド板２３２３や、搬送ローラー対２４や、レジストローラー対２５や、排出ローラー対２６が設けられる。搬送ローラー対２４は用紙を画像形成部に向けて搬送する。レジストローラー対２５はトナー像にタイミングをあわせて用紙を転写ローラー３５と感光体ドラム３１のニップに送り出す。排出ローラー対２６は定着部３ｂを通過して用紙を排出トレイ２２に向けて搬送する。搬送部２ｂの各ローラーはモーター３Ｍなどを含む駆動機構（不図示）により回転駆動する。
【００２１】
図１に示すように、画像形成部３ａはプリンター１００内の中央左方の位置に配される。例えば、画像形成部３ａはコンピューター２００（パーソナルコンピューターやサーバー、図２参照）から送信された原稿の画像データや印刷の設定データに基づき、形成すべき画像のトナー像を形成し、用紙に転写を行う。そして、画像形成部３ａは感光体ドラム３１と、その周囲に配される帯電装置３２、露光装置３３、現像装置３４、転写ローラー３５、清掃装置３６を含む。
【００２２】
トナー像の形成プロセスを説明する。感光体ドラム３１は所定の方向（図１では時計方向）に回転駆動する。帯電装置３２は感光体ドラム３１の周面を帯電させる。露光装置３３は帯電後の感光体ドラム３１に画像データに基づき光（例えば、レーザ光）を照射して感光体ドラム３１の周面を走査・露光する。これにより、感光体ドラム３１の周面に画像データに対応した静電潜像が形成される。現像装置３４はトナーを帯電させ、そのトナーを静電潜像に供給する。これにより、静電潜像をトナー像として現像される。転写ローラー３５は回転可能に支持され、感光体ドラム３１に圧接しニップを形成する。そして、このニップに用紙とトナー像が進入したとき、転写ローラー３５にトナーの帯電極性と逆の極性の電圧が印加される。これにより、トナー像は用紙に転写される。清掃装置３６は感光体ドラム３１の周面上の残トナーや塵芥等を除去、回収する。
【００２３】
本実施形態では、定着部３ｂは通電で発熱するヒータ３７を内蔵する加熱ローラー３８と加圧ローラー３９を含む。加熱ローラー３８はトナー像を加熱するため、ヒータ３７が生ずる熱により加熱され、回転する。加圧ローラー３９は加熱ローラー３８に接しつつ回転する。そして、定着部３ｂのニップに用紙が進入することで、トナー像が加圧・加熱される。これにより、トナー像が用紙に定着する。定着完了後の用紙は排出トレイ２２に排出される。
【００２４】
又、図１に破線で示すように、本実施形態のプリンター１００は正面上方左側に、プリンター１００の動作やモードの設定を行うための操作パネル４（操作部に相当）を含む。操作パネル４には、液晶表示部４１や、複数のインジケーター４２や、複数の操作用キー４３等が設けられる。液晶表示部４１は故障発生やエラーメッセージ等、各種メッセージを表示する。インジケーター４２は発光素子（例えば、ＬＥＤ）であり、複数設けられる。インジケーター４２は点灯や点滅により、故障発生、印刷中、用紙切れのような各種メッセージを表示する。又、操作パネル４に設けられた操作用キー４３により、プリンター１００に対する各種設定を行うことができる。又、操作パネル４には、操作キーの一種として、モードを切り替えてプリンター１００の消費電力を段階的に下げる節電スイッチ４３ａが設けられる。
【００２５】
（プリンター１００のハードウェア構成）
次に、図２に基づき本発明の実施形態に係るプリンター１００のハードウェア構成の一例を説明する。図２はプリンター１００のハードウェア構成の一例を示すブロック図である。
【００２６】
図２に示すように、本実施形態のプリンター１００には、プリンター１００の動作全体の制御を司る主制御部１（電力制御部に相当）が設けられる。主制御部１には、中央演算処理装置として、ＣＰＵ１１が設けられる。主制御部１はＲＡＭ（Random Access Memory）や、ＲＯＭ（Read Only Memory）や、フラッシュＲＯＭからなり、データを記憶する記憶部５（回路部１００ｂに相当）と通信可能に接続される。ＲＯＭやフラッシュＲＯＭは各種制御を行うために必要なプログラム、データを記憶する。又、ＲＡＭは制御用のプログラムやデータや、画像データ等を一時的に展開する。主制御部１は記憶部５に記憶されたデータやプログラムを用いて処理を行う。
【００２７】
又、本実施形態のプリンター１００には、時間を計時するための計時部１２（タイマー）が設けられる。計時部１２は制御上、計測すべき時間を計時する。尚、主制御部１のＣＰＵ１１のタイマー機能を用いて計時がなされてもよい。
【００２８】
又、プリンター１００には、給紙部２ａ、搬送部２ｂ、画像形成部３ａ、定着部３ｂや、印刷に用いる各種ローラーを回転させるモーター３Ｍなどの印刷を行う部分であるエンジン部２０の動作を制御するエンジン制御部３０（回路部１００ｂに相当）が設けられる。エンジン制御部３０はＣＰＵ（不図示）などの回路を含み、エンジン部２０の各部分を制御する。又、エンジン制御部３０は印刷制御用や通信用のデータやプログラムを不揮発的及び揮発的に記憶する記憶素子３０１を含む。エンジン制御部３０と主制御部１は通信可能に接続される。そして、主制御部１はエンジン制御部３０に印刷の指示を与える。エンジン制御部３０は主制御部１の指示を受け、記憶部５や記憶素子３０１に格納されたデータ等を用いて、エンジン部２０を制御する。
【００２９】
又、プリンター１００には画像処理部６（回路部１００ｂに相当）が設けられる。画像処理部６は画像処理用の専用回路（例えば、ＡＳＩＣ）や画像処理に関するデータやプログラムや設定を記憶する記憶素子６２を含む。画像処理部６と主制御部１は通信可能に接続される。主制御部１の指示に基づき、画像処理部６は印刷に用いる画像データに対し、印刷での設定に合わせた画像処理を行う。そして、画像形成部は画像処理部６により処理された画像データに基づき、トナー像を形成する。
【００３０】
又、プリンター１００には、プリンター１００に内部の各種回路に必要な電圧を生成し、各種回路に供給する電源部７が設けられる。主制御部１は電源部７の動作や、電源部７の電力供給先を制御する（詳細は後述）。
【００３１】
又、プリンター１００には、複数のセンサー８が設けられる（詳細は後述）。主制御部１は複数のセンサー８の出力に基づき、プリンター１００の状態を認識する。
【００３２】
又、プリンター１００にはコンピューター２００と通信を行うための通信部９（回路部１００ｂに相当）が設けられる。プリンター１００は通信用の回路や、通信用のプログラムやデータを記憶する記憶素子９１を含む。通信部９はコンピューター２００から印刷を行う内容を示すデータ（例えば、画像データ）や印刷の設定データを受信する。通信部９は主制御部１と通信可能に接続される。そして、通信部９は受信したデータを主制御部１や記憶部５に送信する。
【００３３】
又、プリンター１００には操作パネル４が設けられる。主制御部１は操作パネル４と通信可能に接続される。そして、主制御部１は操作パネル４の液晶表示部４１やインジケーター４２の表示を制御する。又、主制御部１は操作用キー４３へのタッチ入力を認識し、使用者による設定を認識し、なされた設定に沿うようにプリンター１００の各部を制御する。
【００３４】
又、本実施形態のプリンター１００には、プリンター１００のモードを切り替えるための起動スイッチ１０（操作部に相当、電源スイッチ）が設けられる。例えば、起動スイッチ１０はプリンター１００の正面や側面などに設けられる。起動スイッチ１０の出力は主制御部１に入力される。主制御部１は起動スイッチ１０が押されたことを認識する。起動スイッチ１０は押されると出力が変化するスイッチである。起動スイッチ１０が押されると、主制御部１はプリンター１００のモードを切り替え、プリンター１００内で電力を供給する部分を切り替える（詳細は後述）。
【００３５】
（電圧生成とプリンター１００の各部分への電力供給）
次に、図３を用いて、本実施形態のプリンター１００での電圧生成とプリンター１００の各部分への電力供給を説明する。図３は電圧生成とプリンター１００の各部分への電力供給の流れの一例を示すブロック図である。尚、図３では、電力供給経路を白抜矢印で示している。
【００３６】
本実施形態のプリンター１００には、外部の電源（商用電源）から電力の供給を受けるための電源コードＣ２が設けられる。電源コードＣ２はコンセントＣ１に接続される。電源コードＣ２を介して、プリンター１００に電力が供給される。電源コードＣ２により、外部からの交流電力は電源部７に入力される。尚、本実施形態のプリンター１００では、いったん電源部７を経た交流電力がヒーター３７に投入される。電源部７にはヒーター３７への通電のＯＮ／ＯＦＦを制御する駆動回路（不図示）が設けられる。主制御部１は、駆動回路（不図示）を制御するなどして、ヒーター３７への通電を制御してヒーター３７の出力制御を行う。
【００３７】
また、１次電源部７１は外部からの交流電力の整流や平滑を行い、直流電圧を生成する電力変換回路である。１次電源部７１はトランスやコイルやコンデンサーやトランジスタを含み、整流や平滑を行い、直流電圧の生成を行うスイッチング電源７１ａを含む。例えば、スイッチング電源７１ａはＤＣ２４Ｖを生成する。スイッチング電源７１ａが生成した電圧はモーター３Ｍに印加される。エンジン制御部３０はモーター３Ｍへの通電を制御して、各種回転体の回転制御を行う。
【００３８】
又、スイッチング電源７１ａの出力は主制御部１に入力される。これにより、主制御部１は電源部７の出力を計測できる。
【００３９】
又、本実施形態のプリンター１００では、ゼロクロス信号生成部７１ｂ（検知部に相当）が設けられる。ゼロクロス信号生成部７１ｂは外部の電源（商用電源）からプリンター１００に入力される交流電圧の電圧値が０Ｖを交叉したこと（ゼロクロス点）を検出するゼロクロス信号を生成する。ゼロクロス信号生成部７１ｂの出力は主制御部１に入力される。主制御部１はゼロクロス信号に基づき、プリンター１００に電力の供給が行われているか否かを判断する。これにより、主制御部１は停電や電源コードＣ２の抜け落ちが生じたか否かを検知することができる。
【００４０】
そして、電源部７には２次電源部７２が設けられる。２次電源部７２は１次電源部７１が生成した直流電圧に基づき、プリンター１００内の回路やセンサーを動作させるのに必要な電圧を生成する。具体的には、２次電源部７２には１又は複数のＤＣＤＣコンバーター７２ａが設けられる。便宜上、図３では、ＤＣＤＣコンバーター７２ａを１つのみ図示している。ＤＣＤＣコンバーター７２ａはスイッチング素子（例えば、トランジスタ）や、ダイオードや、コイルやコンデンサーを含み、予め定められた電圧を出力する。又、２次電源部７２には、電圧生成のため、レギュレーターなどが含まれてもよい。例えば、２次電源部７２はＤＣ５Ｖ、３．３Ｖ、２．５Ｖ、１．８Ｖなど、各種ＣＰＵや回路やメモリーの駆動に必要な電圧を生成する。
【００４１】
そして、２次電源部７２が生成した電圧は主制御部１に印加される。電源コードＣ２によりプリンター１００に電力が供給されているとき、１次電源部７１と２次電源部７２が動作する。そのため、電源コードＣ２によりプリンター１００に電力が供給されているとき、主制御部１（主制御部１のＣＰＵ１１）は駆動した状態を保つ。
【００４２】
又、２次電源部７２が生成した電圧はプリンター１００内の回路、センサーなどの負荷１００ａに供給される。又、それぞれの負荷１００ａに対し、電力を供給するか否かを制御するためにスイッチ７ａが複数設けられる。便宜上、図３では、スイッチ７ａを１つのみ図示している。主制御部１はプリンター１００のモードに応じて各スイッチ７ａのＯＮ／ＯＦＦを行い、回路やセンサーなどの負荷１００ａへの電力供給のＯＮ／ＯＦＦを行う。
【００４３】
（プリンター１００のモード）
次に、図４、図５を用いて、消費電力に関するプリンター１００での各モードについて説明する。図４はプリンター１００の負荷１００ａ部分に対する電力供給制御を説明するための説明図である。図５はプリンター１００での各モードの切替を説明するための説明図である。
【００４４】
図５に示すように、本実施形態のプリンター１００は消費電力に関し、３つのモードを有する。言い換えると、プリンター１００は消費電力が異なる３つのモードを含む。具体的には、プリンター１００は第１省電力モードと第２省電力モードと通常モード（「Ｒｅａｄｙモード」と呼ばれることもある。）を含む。
【００４５】
図４に示すように、２次電源部７２から通信部９、記憶部５、画像処理部６、エンジン部２０、操作パネル４、複数のセンサー８に対する電力供給を制御するためのスイッチ７ａが設けられる。主制御部１はこのスイッチ７ａのＯＮ／ＯＦＦを制御し、各モードに応じて、２次電源部７２から通信部９、記憶部５、画像処理部６、エンジン部２０、操作パネル４、複数のセンサー８への電力供給のＯＮ／ＯＦＦを切り替える。又、プリンター１００内の感光体ドラム３１のような各種回転体を回転させるモーター３Ｍに対してもスイッチ７ａが設けられる。主制御部１はモーター３Ｍに対するスイッチ７ａのＯＮ／ＯＦＦを行って、モーター３Ｍへの電力供給を制御する。
【００４６】
３つのモードのうち、通常モードは最も消費電力が大きいモードである。具体的に、本実施形態のプリンター１００での通常モードでは、主制御部１（ＣＰＵ１１）は全てのスイッチ７ａをＯＮ状態とし、通信部９、記憶部５、画像処理部６、エンジン部２０、操作パネル４、複数のセンサー８、モーター３Ｍなど、プリンター１００の全ての負荷１００ａに対して、電源部７に電力を供給させる。言い換えると、通常モードは印刷中やプリンター１００を直ちに使用できる状態で保つモードである。例えば、通常モードでは、加熱ローラー３８が定着に適した温度で保つようにヒーター３７に対して、電力が投入される。尚、通常モードでも一部のスイッチ７ａはＯＦＦ状態としてもよい。
【００４７】
主制御部１と、負荷１００ａのうち、通信部９、記憶部５、画像処理部６、エンジン制御部３０などの回路部１００ｂはバスなどにより通信可能に接続されている。通常モードでは主制御部１と回路部１００ｂは相互に通信を行う。以下の説明では、通信部９、記憶部５、画像処理部６、エンジン制御部３０などは、ＣＰＵやマイコンや設定用保存用のメモリーやレジスタ（記憶素子）を含む。これらの部分を「回路部１００ｂ」と称する。言い換えると回路部１００ｂとしての通信部９、記憶部５、画像処理部６、エンジン制御部３０などは、それぞれ、メモリーやレジスタなど、主制御部１の指示による設定値やデータを不揮発的に記憶する記憶素子（記憶部５、記憶素子３０１、記憶素子６２、記憶素子９１、図２参照）を含む。
【００４８】
又、第１省電力モードや第２省電力モードから通常モードに移行すると、主制御部１は回路部１００ｂのうち、電力供給を停止していた回路部１００ｂに電力供給を行う。そして、主制御部１は回路部１００ｂに電力供給を開始すると、回路部１００ｂと通信を行って、各回路部１００ｂが含む記憶素子に設定値やデータなどを書き込ませ、起動させる。
【００４９】
又、３つのモードのうち、第１省電力モードは最も消費電力が小さいモードである。具体的に、第１省電力モードでは主制御部１（ＣＰＵ１１）は全てのスイッチ７ａをＯＦＦ状態とし、通信部９、記憶部５、画像処理部６、エンジン部２０、操作パネル４、複数のセンサー８、モーター３Ｍなどの全ての負荷１００ａに対する電力供給を電源部７に停止させる。尚、主制御部１やＣＰＵ１１の一部は省電力のため駆動を停止するが、一部は駆動を続ける。言い換えると、第１省電力モードは主制御部１（ＣＰＵ１１）のみが起動している状態で保つモードである。尚、第１省電力モードでは、ヒーター３７に対して電力は供給されない。又、回路部１００ｂ全体に対する電力供給は行われないので、第１省電力モードでは、主制御部１と回路部１００ｂ間の通信は行われない。
【００５０】
又、３つのモードのうち、第２省電力モードは通常モードよりも消費電力が小さく、第１省電力モードよりは消費電力が大きいモードである。具体的に、第２省電力モードでは主制御部１（ＣＰＵ１１）はスイッチ７ａのうち、予め定められた一部のスイッチ７ａをＯＦＦ状態とする。
【００５１】
本実施形態のプリンター１００では、第２省電力モードのとき、主制御部１は印刷に用いる部分に対する電力供給を停止する。具体的に、第２省電力モードのとき、主制御部１は通信部９、記憶部５、操作パネル４などに対するスイッチ７ａをＯＮ状態し、これらの部分に対する電力供給を電源部７に行わせる。又、第２省電力モードのとき、主制御部１は画像処理部６、エンジン部２０（エンジン制御部３０）、モーター３Ｍなど、印刷に用いる部分に対するスイッチ７ａをＯＦＦ状態とし、これらの部分に対する電力供給を電源部７に停止させる。尚、第２省電力モードでどのスイッチ７ａをＯＦＦ状態とし、どのスイッチ７ａをＯＮ状態で保つかは適宜定めることができる。
【００５２】
ここで、プリンター１００には、負荷１００ａとして、複数のセンサー８が設けられる。センサー８は第２省電力モードでは電力を供給しない第１センサー８ａと、第２省電力モードでも電力を供給する第２センサー８ｂの２種に大別される。
【００５３】
例えば、第１センサー８ａはレジストセンサー８１や排出センサー８２や定着部３ｂの温度センサー８３などである。レジストセンサー８１はレジストローラー対２５への用紙到達や通過を検知するためのセンサーである（図１参照、例えば、光センサー）。排出センサー８２は設置位置に用紙が到達し、きちんと排出トレイ２２に排出されたかを検知するためのセンサーである（図１参照、例えば、光センサー）。温度センサー８３は加熱ローラー３８の温度を検知するためのセンサーである（図１参照、例えば、サーミスターを含む）。印刷するとき通常モードに復帰するので、第２省電力モードではこれらのセンサーは用いない。このように、本実施形態のプリンター１００では、第２省電力モードでは、一部のセンサーに対する電力供給を停止して、消費電力の低減を図る。
【００５４】
又、例えば、第２センサー８ｂはカセットセンサー８４やカバーセンサー８５など、プリンター１００に対する操作を検知するためのセンサーである。カセットセンサー８４は給紙部２ａの取り外し、取り付けを検知するためのセンサーである（図１参照、例えば、インターロックスイッチ）。カバーセンサー８５はプリンター１００の上面や正面のカバーの開閉を検知するためのセンサーである（図１参照、例えば、インターロックスイッチ）。第２省電力モードでも、プリンター１００に対する操作を検知することが望ましい場合がある。そこで、本実施形態のプリンター１００では、第２省電力モードでは、一部のセンサーに対する電力供給を継続する。
【００５５】
尚、上記のセンサーはプリンター１００に設けられるセンサーの一例であり、複数のセンサー８として別のセンサーがプリンター１００に設けられてもよい。そして、第２省電力モードのとき、複数のセンサー８のうち、どのセンサー８に対しては電力供給を停止し、どのセンサー８に対して電力供給を行うかは適宜定めることができる。
【００５６】
次に、図５を用いて、各モード間の遷移条件を説明する。抜かれた電源コードＣ２がコンセントＣ１に差し込まれると、まず、主制御部１はプリンター１００のモードを第１省電力モードとする。言い換えると、プリンター１００のモードは第１省電力モードからスタートする。
【００５７】
尚、図３に示すように、起動スイッチ１０にはプリンター１００に電力が供給されている限り（電源コードＣ２がコンセントＣ１につながっているとき）、電力が印加される。これにより、通常モード、第１省電力モード、第２省電力モードの各モードを問わず、起動スイッチ１０は使用者によるモードの切替指示の入力を受け付ける。又、この起動スイッチ１０の出力を受けて、主制御部１は起動スイッチ１０へのタッチによりモードの切替指示がなされたことを認識する。
【００５８】
そして、第１省電力モードのとき、起動スイッチ１０が押されると、主制御部１はプリンター１００を通常モードとする（図５中の矢印Ａ）。
【００５９】
通常モードとなった後、主制御部１は一定の移行条件が満たされると各スイッチ７ａを制御して、プリンター１００を通常モードから第１省電力モード又は第２省電力モードとする。本実施形態のプリンター１００では、主制御部１は通常モードで起動スイッチ１０が押されると、通常モードから第１省電力モードへの移行条件が満たされたと判断する。この場合は、主制御部１は全てのスイッチ７ａをＯＦＦにする。そして、主制御部１はプリンター１００を第１省電力モードする（図５中の矢印Ｂ）。これにより、プリンター１００の消費電力は最小の状態となる。
【００６０】
又、本実施形態のプリンター１００では、主制御部１は予め定められた計時開始時点から、プリンター１００が印刷を行わず、コンピューター２００から印刷用データを受信せず、プリンター１００に対する操作がないまま予め定められた第２省電力モード移行時間が経過すると、通常モードから第２省電力モード移行条件が満たされたと判断する。又、主制御部１は操作パネル４などに設けられた節電スイッチ４３ａが押されたとき、第２省電力モードへの移行条件が満たされたと判断する。そして、第２省電力モードへの移行条件が満たされると、主制御部１は予め定められた一部のスイッチ７ａをＯＦＦして、プリンター１００を第２省電力モードする（図５中の矢印Ｃ）。
【００６１】
第２省電力モードでは、主制御部１は節電スイッチ４３ａが押されると、第２省電力モードから通常モードへの移行条件が満たされたと判断する。又、通信部９に印刷用のデータが入力されたとき、主制御部１は第２省電力モードから通常モードへの移行条件が満たされたと判断してもよい。あるいは、主制御部１が第１センサー８ａに基づき、給紙部２ａの出し入れや、カバーの開閉のようなプリンター１００に対する操作を認識したとき、主制御部１は第２省電力モードから通常モードへの移行条件が満たされたと判断してもよい。そして、第２省電力モードから通常モードへの移行条件が満たされると、主制御部１はＯＦＦ状態としていた一部のスイッチ７ａをＯＮ状態として、プリンター１００を通常モードとする（図５中の矢印Ｄ）。
【００６２】
又、第２省電力モードでは、主制御部１は起動スイッチ１０が押されると、第２省電力モードから第１省電力モードへの移行条件が満たされたと判断する。又、第２省電力モードとなってから、通信部９に印刷用のデータが入力されないまま、及び、第１センサー８ａに基づきプリンター１００に対する操作を認識しないまま、予め定められた自動停止時間（例えば、数十分）が経過したとき、主制御部１は第２省電力モードから第１省電力モードへの移行条件が満たされたと判断する。そして、第２省電力モードから第１省電力モードへの移行条件が満たされると、主制御部１は一部ＯＮ状態としていた一部のスイッチ７ａをＯＦＦ状態として、プリンター１００を第１省電力モードとする（図５中の矢印Ｅ）。
【００６３】
（電源コードＣ２挿入時の起動の流れ）
次に、図６を用いて、本実施形態のプリンター１００での電源コードＣ２の挿入時（コンセントＣ１に電源コードＣ２を接続したとき）の起動の流れの一例を説明する。図６は電源コードＣ２の挿入時の起動の流れの一例を示すタイミングチャートである。
【００６４】
まず、図６では、１次電源部７１（スイッチング電源７１ａ）の出力レベルを実線で示している。又、図６では、２次電源部７２の出力レベルを２点鎖線で示している。
【００６５】
電源コードＣ２がコンセントＣ１に接続されると（図６でのｔ１の時点）、１次電源部７１が動作を開始する。そして、１次電源部７１の出力は上昇する。そして、１次電源部７１は予め定められた出力電圧を出力する。
【００６６】
１次電源部７１の出力が２次電源部７２を駆動できる電圧まで大きくなると、２次電源部７２が駆動を開始する（図６でのｔ２の時点）。その後、２次電源部７２の出力は上昇する。そして、２次電源部７２は予め定められた出力電圧を出力する。これにより、主制御部１に電力が供給され、主制御部１が起動し、主制御部１が動作する状態となる。又、起動スイッチ１０も電圧が印加された状態となる。
【００６７】
そして、図６でのｔ３は起動スイッチ１０が押された時点を示している。起動スイッチ１０が押されると、主制御部１は全てのスイッチ７ａをＯＮ状態として、プリンター１００のモードを通常モードとする。これにより、２次電源部７２から通信部９、記憶部５、画像処理部６、エンジン部２０、操作パネル４、複数のセンサー８などへの電力供給が開始される（図６でのｔ４の時点）。そして、主制御部１は通信部９、記憶部５、画像処理部６、エンジン部２０、操作パネル４、複数のセンサー８などと通信を行いつつ、通信部９、記憶部５、画像処理部６、エンジン部２０、操作パネル４、複数のセンサー８の設定を行って、起動させる。又、主制御部１は通信部９、記憶部５、画像処理部６、エンジン制御部部３０などの回路部１００ｂと通信を行って、回路部１００ｂの各記憶素子に動作上の設定値などのデータを登録させる。そして、主制御部１は回路部１００ｂなどを起動させる。又、エンジン部２０のエンジン制御部３０が起動すると、モーター３Ｍに電圧を印加できる状態となる（図６でのｔ５の時点）。このように、電源コードＣ２がコンセントＣ１に接続されると、主制御部１が起動する。
【００６８】
（プリンター１００への電力供給が停止したときの電圧降下の流れと問題点）
次に、図７を用いて、本実施形態のプリンター１００での電力供給が停止したときの電圧降下の流れの一例を説明する。図７はプリンター１００への電力供給が停止したときの電圧降下の流れの一例を示すタイミングチャートである。
【００６９】
まず、図７では、１次電源部７１（スイッチング電源７１ａ）の出力レベルを実線で示している。又、図７では、２次電源部７２の出力レベルを２点鎖線で示している。
【００７０】
図７のｔ６の時点がプリンター１００への電力供給が停止した時点である。停電やコンセントＣ１から電源コードＣ２が抜けるなどにより、プリンター１００への電力供給が停止される。
【００７１】
主制御部１はプリンター１００への電力供給の停止をゼロクロス信号生成部７１ｂの出力（ゼロクロス信号）に基づき認識する。電源コードＣ２がコンセントＣ１と接続されている間、ゼロクロス信号生成部７１ｂは主制御部１にゼロクロス信号を出力し続ける。例えば、ゼロクロス信号生成部７１ｂは電源（例えば、商用電源）の周波数が５０Ｈｚならば１００Ｈｚをゼロクロス信号を、６０Ｈｚならば１２０Ｈｚのゼロクロス信号を出力する。
【００７２】
主制御部１はゼロクロス信号が無くなってから予め定められた電力供給の停止検知時間続けてゼロクロス信号が無い状態が続くと、電源コードＣ２がコンセントＣ１から抜かれたと認識する（図７でのｔ７の時点）。電力供給の停止検知時間は任意に定めることができる時間である。例えば、電力供給の停止検知時間はゼロクロス信号の複数周期分の時間に設定される。
【００７３】
そして、図７に示すように、プリンター１００への電力供給が停止すると、１次電源部７１や２次電源部７２の出力の降下が始まる。
【００７４】
しかし、１次電源部７１や２次電源部７２のコンデンサーやコイルなどには、蓄えられたエネルギーが残っているので、プリンター１００への電力供給の停止により、直ちに、１次電源部７１や２次電源部７２の出力電圧値がゼロにならない。言い換えると、プリンター１００への電力供給が停止しても、１次電源部７１や２次電源部７２に蓄えられたエネルギーが少なくなるまで、主制御部１や負荷１００ａのうちの回路部１００ｂは駆動した状態を保つ。
【００７５】
具体的に、図７では、プリンター１００が通常モードのときの１次電源部７１の出力が無くなる時点を時点ｔ８で示し、その推移を実線で示している。又、図７では、プリンター１００が通常モードのときの２次電源部７２の出力が無くなる時点を時点ｔ９で示し、その推移を実線で示している。又主制御部１や回路部１００ｂの駆動に必要な電圧を下回るほど、２次電源部７２の出力が低下した時点をｔ１０で示している。
【００７６】
又、図７では、プリンター１００が第２省電力モードのときの１次電源部７１の出力が無くなる時点を時点ｔ１１で示し、その推移を実線で示している。又、図７では、プリンター１００が通常モードのときの２次電源部７２の出力が無くなる時点を時点ｔ１２で示し、その推移を実線で示している。又主制御部１や回路部１００ｂの駆動に必要な電圧を下回るほど、２次電源部７２の出力が低下した時点をｔ１３で示している。
【００７７】
更に、図７では、プリンター１００が第１省電力モードのときの１次電源部７１の出力が無くなる時点を時点ｔ１４で示し、その推移を実線で示している。又、図７では、プリンター１００が通常モードのときの２次電源部７２の出力が無くなる時点を時点ｔ１５で示し、その推移を実線で示している。又主制御部１や回路部１００ｂの駆動に必要な電圧を下回るほど、２次電源部７２の出力が低下した時点をｔ１６で示している。
【００７８】
図７に示すように、消費電力が多い状態ほど、プリンター１００への電力供給が停止すると、１次電源部７１や２次電源部７２の出力は早く低下する。本実施形態のプリンター１００では、プリンター１００への電力供給が停止したとき、１次電源部７１や２次電源部７２の出力低下は通常モードが最も早く、次いで、第２省電力モードが早く、第１省電力モードが最も遅い。
【００７９】
各省電力モードでは消費電力が少ない。そのため、プリンター１００への電力供給が停止してから１次電源部７１や２次電源部７２の出力が低下し、主制御部１や回路部１００ｂなどの負荷１００ａが動作を停止するまでの時間は通常モードよりも長くなる。特に、第１省電力モードでは、電力を消費するのが主制御部１（のＣＰＵ１１）に限られる。そのため、第１省電力モードでは、１次電源部７１や２次電源部７２の出力が低下するのに、数十秒かかる場合もある。
【００８０】
ここで、使用者が自分の意思で電源コードＣ２をコンセントＣ１から抜いてプリンター１００への電力供給の停止を行う場合もある。このような場合、電源コードＣ２を抜いたうえで起動スイッチ１０を押すケースは少ない。
【００８１】
一方で、誰かの足に引っかかって電源コードＣ２がコンセントＣ１から抜けたり、停電が生じたりして、プリンター１００への電力供給が意図せずに停止してしまうこともある。このように意図せずプリンター１００への電力供給が停止しているとき、電力供給が停止されている状態であることを知らず、使用者は起動スイッチ１０を押してしまうことがある。
【００８２】
プリンター１００への電力供給が停止しても、主制御部１は動作している状態のときがある。そのため、従来、プリンター１００への電力供給が停止していて主制御部１が動作しているとき、起動スイッチ１０が押されると、主制御部１がプリンター１００を通常モードに移行させる処理を開始してしまう。
【００８３】
通常モードに移行させるため、主制御部１は各スイッチ７ａをＯＮとして、回路部１００ｂ（通信部９、記憶部５、画像処理部６、エンジン制御部３０など）への電力供給を開始させる。そして、主制御部１は通信部９、記憶部５、画像処理部６、エンジン制御部３０などの回路部１００ｂに起動処理を行わせる。起動処理では、主制御部１は回路部１００ｂに信号を送信し、初期化や、回路部１００ｂ内の各記憶素子への設定値の設定や登録などを回路部１００ｂに行わせる。
【００８４】
しかし、プリンター１００への電力供給が停止していると、回路部１００ｂの起動が完了する前に、２次電源部７２の出力が主制御部１や回路部１００ｂを駆動できない大きさまで小さくなる場合がある。そうすると、通信部９、記憶部５、画像処理部６、エンジン制御部３０などでの起動処理が中途半端な状態で強制的に終了される。このとき、通信部９、記憶部５、画像処理部６、エンジン制御部３０などに含まれる記憶素子（メモリーやレジスタなど）に、誤った設定値が書き込まれたまま（不揮発的に登録されたまま）となる場合がある。特に、２次電源部７２の出力が低下し、主制御部１に印加される電圧が小さくなっているような状況では、主制御部１が発する信号が不安定となり、エラーを含む信号を出力してしまい、誤った値を回路部１００ｂのいずれかの記憶素子に不揮発的に記憶させてしまう場合がある。
【００８５】
そうすると、次に第１省電力モードから通常モードに移行させ、通信部９、記憶部５、画像処理部６、エンジン制御部３０などの回路部１００ｂを起動させるとき、誤った設定値が回路部１００ｂ内のメモリーやレジスタのような記憶素子に登録されていることにより、正常に回路部１００ｂを起動できない場合が出てくる。
【００８６】
そこで、本実施形態のプリンター１００では、省電力モード（第１省電力モードと第２省電力モード）で、プリンター１００への電力供給が停止を検知したとき、主制御部１は通常モードへの移行指示があったことを認識しても（第１省電力モードで起動スイッチ１０が押されたこと、及び、第２省電力モードで節電スイッチ４３ａが押されたことを認識しても）、通信部９、記憶部５、画像処理部６、エンジン制御部３０などの回路部１００ｂのうち、電源部７からの電力供給を停止している部分への電力供給を開始せず、中途半端に回路部１００ｂを起動させないようにする。言い換えると、言い換えると、主制御部１は、通常モードへの移行指示があっても、回路部１００ｂの全てに対する電力供給を開始しない場合がある。
【００８７】
（第１省電力モードでの起動スイッチ１０が押されたとき）
次に、図７を参照しつつ、図８を用いて、プリンター１００への電力供給が停止している状態で第１省電力モードのとき、起動スイッチ１０が押された場合の制御の流れの一例を説明する。図８はプリンター１００への電力供給が停止している状態で第１省電力モードのとき、起動スイッチ１０が押された場合の制御の流れの一例を示すフローチャートである。
【００８８】
まず、図８のスタートは第１省電力モードで、主制御部１がゼロクロス信号に基づき、プリンター１００への電力供給が停止したことを認識した後に起動スイッチ１０が押された時点である。
【００８９】
まず、主制御部１はプリンター１００への電力供給の停止を検知した停止検知時から第１省電力モード用の第１不起動時間Ｔ１が経過するまで起動スイッチ１０で通常モードへの移行指示を受け付けても、通信部９、記憶部５、画像処理部６、エンジン制御部３０など回路部１００ｂ全体への電力供給を開始しない（ステップ♯１１）。
【００９０】
そして、停止検知時から第１不起動時間Ｔ１が経過するまで、主制御部１は電力制御部を安全にシャットダウンするための予め定められたシャットダウン時処理を行う（ステップ♯１２）。例えば、主制御部１内に設けられた不揮発メモリーに制御部内のＣＰＵ１１内のメモリーに格納されたデータを記憶させる。
【００９１】
ここで、停止検知時は主制御部１が停電やコンセントＣ１の抜け落ちなどにより、プリンター１００への電力供給の停止を認識した時点である。具体的には、停止検知時はゼロクロス信号が無くなってから予め定められた電力供給の停止検知時間経過した時点である。
【００９２】
又、第１不起動時間Ｔ１は予め定められた時間である。第１不起動時間Ｔ１は実験などで、第１省電力モードでプリンター１００への電力供給が停止検知時から、１次電源部７１の出力が０となるまでの時間を計測した結果に基づき定めることができる（図７のｔ７〜ｔ１５の時間）。例えば、第１不起動時間Ｔ１は数十秒である。尚、第１不起動時間Ｔ１は第１省電力モードでプリンター１００への電力供給の停止検知時から、１次電源部７１の出力が主制御部１の動作不能な大きさまで低下するまでの時間（図７のｔ７〜ｔ１６の時間）を目安として定めてもよい。
【００９３】
停止検知時から第１不起動時間Ｔ１経過した時点で主制御部１は駆動を停止していれば、本フローは終了する（ステップ♯１３のＮｏ→エンド。）
【００９４】
一方で、電源コードＣ２のコンセントＣ１への抜き差しや、電源コードＣ２の接触不良などにより、断続的、間断的に電力がプリンター１００に供給され、停止検知時から第１不起動時間Ｔ１経過しても主制御部１が駆動している場合がある。又、主制御部１の消費電力はそのときの処理内容などに影響を受け、電源コードＣ２がコンセントＣ１から抜かれたままでも主制御部１が動作している可能性はある。
【００９５】
そこで、主制御部１は停止検知時から第１不起動時間Ｔ１経過した時点で駆動していれば（ステップ♯１３のＹｅｓ）、主制御部１は通信部９、記憶部５、画像処理部６、エンジン制御部３０などの回路部１００ｂを起動しない状態で保つ（ステップ♯１４）。そして、主制御部１は１次電源部７１の出力電圧値を計測する（ステップ♯１５）。
【００９６】
そして、主制御部１は１次電源部７１の出力電圧の大きさが主制御部１又は回路部１００ｂのうち最も小さい駆動電圧の回路部１００ｂ（通信部９、記憶部５、画像処理部６、エンジン制御部３０など）が駆動しない大きさとなったかを確認する（ステップ♯１６）。言い換えると、主制御部１は１次電源部７１の出力電圧値が起動処理を開始しても回路部１００ｂの起動を実質的にできないほどの大きさとなったか否かを確認する（ステップ♯１６）。
【００９７】
主制御部１を動作させ、回路部１００ｂの起動を実質的にできないほどの大きさとなれば（ステップ♯１６のＮｏ）、主制御部１も駆動を停止するので、フローは終了する。
【００９８】
一方、１次電源部７１の出力電圧の大きさがまだ、主制御部１を動作させ、回路部１００ｂを起動できるほどの大きさであれば、主制御部１は１次電源部７１の出力電圧値が予め定められた大きさになったか（回復したか）を確認する（ステップ♯１７）。例えば、予め定められた大きさは回路部１００ｂを含めた負荷１００ａのうち最も駆動電圧が大きい負荷１００ａを駆動できる大きさとすることができる。例えば、主制御部１は１次電源部７１の出力電圧値がモーター３Ｍを駆動できるＤＣ２４Ｖに回復したか否かを確認する。
【００９９】
もし、１次電源部７１の出力電圧値が予め定められた大きさになっていなければ（ステップ♯１７のＮｏ）、フローはステップ♯１４に戻る。一方、１次電源部７１の出力電圧値が予め定められた大きさに回復したのであれば（ステップ♯１７のＮｏ）、主制御部１はプリンター１００への十分な電力の供給が再開され、プリンター１００を通常モードとしても問題はないと判断する。そして、主制御部１は各スイッチ７ａを制御して回路部１００ｂ（通信部９、記憶部５、画像処理部６、エンジン制御部３０など）への電力供給を開始させ、起動させる（ステップ♯１８→エンド）。このように、プリンター１００に十分な電力供給が再開されているかを確認し、中途半端な起動とならないことが確認できてから回路部１００ｂの起動が開始される。
【０１００】
（第２省電力モードでの節電スイッチ４３ａが押されたとき）
次に、図７を参照しつつ、図９を用いて、プリンター１００への電力供給が停止している状態で第２省電力モードのとき、節電スイッチ４３ａが押された場合の制御の流れの一例を説明する。図９はプリンター１００への電力供給が停止している状態で第２省電力モードのとき、節電スイッチ４３ａが押された場合の制御の流れの一例を示すフローチャートである。
【０１０１】
まず、図９のスタートは第２省電力モードで、主制御部１がゼロクロス信号に基づき、プリンター１００への電力供給が停止したことを認識している状態で節電スイッチ４３ａが押された時点である。言い換えると、第２省電力モードで節電スイッチ４３ａが押されたことにより、主制御部１が第２省電力モードから通常モードへの移行条件が満たされたと判断したときである。
【０１０２】
まず、主制御部１はプリンター１００への電力供給の停止を検知した停止検知時から第２省電力モード用の第２不起動時間Ｔ２が経過するまで節電スイッチ４３ａで通常モードへの移行指示を受け付けても、通信部９、記憶部５、画像処理部６、エンジン制御部３０のような回路部１００ｂのうち、第２省電力モードで電源部７からの電力供給が停止されている部分（本実施形態のプリンター１００では、画像処理部６とエンジン制御部３０）への電力供給を開始しない（ステップ♯２１）。
【０１０３】
そして、停止検知時から第２不起動時間Ｔ２が経過するまで、主制御部１は電力制御部を安全にシャットダウンするための予め定められたシャットダウン時処理を行う（ステップ♯２２）。例えば、主制御部１、通信部９などで揮発的に記憶されており、保存すべきデータを記憶部５の不揮発メモリーが記憶する。
【０１０４】
第２不起動時間Ｔ２は予め定められた時間である。まず、第１省電力モードと第２省電力モードとの消費電力の差に基づき、第２不起動時間Ｔ２は第１不起動時間Ｔ１よりも短い。言い換えると、第１不起動時間Ｔ１は第２不起動時間Ｔ２よりも長い。
【０１０５】
そして、第２不起動時間Ｔ２は実験などで、第２省電力モードでプリンター１００への電力供給が停止検知時から、１次電源部７１の出力が０となるまでの時間を計測した結果に基づき定めることができる（図７のｔ７〜ｔ１２の時間）。例えば、第２不起動時間Ｔ２は１０秒程度である。尚、第２不起動時間Ｔ２は第２省電力モードでプリンター１００への電力供給の停止検知時から、１次電源部７１の出力が主制御部１の動作不能な大きさまで低下するまでの時間（図７のｔ７〜ｔ１６の時間）を目安として定めてもよい。
【０１０６】
停止検知時から第２不起動時間Ｔ２経過した時点で主制御部１は駆動を停止していれば、本フローは終了する（ステップ♯２３のＮｏ→エンド。）
【０１０７】
又、電源コードＣ２のコンセントＣ１への抜き差しや、電源コードＣ２の接触不良などによって、断続的、間断的に電力がプリンター１００に供給され、停止検知時から第２不起動時間Ｔ２経過しても主制御部１が駆動している場合がある。又、主制御部１の消費電力はそのときの処理内容などに影響を受けるので、電源コードＣ２がコンセントＣ１から抜かれたままでも主制御部１が動作している可能性はある。
【０１０８】
そこで、主制御部１は停止検知時から第２不起動時間Ｔ２経過した時点で駆動していれば（ステップ♯２３のＹｅｓ）、主制御部１は回路部１００ｂのうち、画像処理部６、エンジン制御部３０のような第２省電力モードで電力供給をしていない部分を起動しない状態で保つ（ステップ♯２４）。ステップ♯２５以降は第１省電力モードのときのステップ♯１５〜ステップ♯１８と同様であるが、以下説明する。
【０１０９】
主制御部１は１次電源部７１の出力電圧値を計測する（ステップ♯２５）。そして、主制御部１は１次電源部７１の出力電圧の大きさが主制御部１又は回路部１００ｂのうち最も小さい駆動電圧の回路部１００ｂ（通信部９、記憶部５、画像処理部６、エンジン制御部３０など）が駆動しない大きさとなったかを確認する（ステップ♯２６）。言い換えると、主制御部１は１次電源部７１の出力電圧値が起動処理を開始しても回路部１００ｂの起動を実質的にできないほどの大きさとなったか否かを確認する（ステップ♯２６）。
【０１１０】
主制御部１を動作させ、回路部１００ｂの起動を実質的にできないほどの大きさとなれば（ステップ♯２６のＮｏ）、主制御部１も駆動を停止するので、フローは終了する。
【０１１１】
一方、主制御部１を動作させ、回路部１００ｂの起動できるほどの大きさを維持していれば、主制御部１は１次電源部７１の出力電圧値が予め定められた大きさになったか（回復したか）を確認する（ステップ♯２７）。予め定められた大きさは回路部１００ｂを含めた負荷１００ａのうち最も駆動電圧が大きい負荷１００ａを駆動できる大きさとされる。例えば、主制御部１は１次電源部７１の出力電圧値がモーター３Ｍを駆動できるＤＣ２４Ｖに回復したか否かを確認する。
【０１１２】
もし、１次電源部７１の出力電圧値が予め定められた大きさになっていなければ（ステップ♯２７のＮｏ）、フローはステップ♯２４に戻る。一方、１次電源部７１の出力電圧値が予め定められた大きさに回復したのであれば（ステップ♯２７のＮｏ）、主制御部１はプリンター１００への十分な電力の供給が再開され、プリンター１００を通常モードとしても問題はないと判断する。そして、主制御部１は各スイッチ７ａを制御して回路部１００ｂ（画像処理部６、エンジン制御部３０のような第２省電力モードで電力供給が停止されている部分）への電力供給を開始させ、起動させる（ステップ♯２８→エンド）。このように、プリンター１００に十分な電力供給が再開されているかを確認し、中途半端な起動とならないことが確認できてから回路部１００ｂの起動が開始される。
【０１１３】
このようにして、本実施形態の画像形成装置（プリンター１００）は、電力供給が開始されると起動処理を行い、電力供給を受けて動作する回路部１００ｂ（通信部９、記憶部５、画像処理部６、エンジン制御部３０など）と、通常モードと、通常モードよりも画像形成装置での消費電力を減らす省電力モード間でのモード切替指示を受け付ける操作部（起動スイッチ１０）と、
外部の電源から電力の供給を受けるために外部の供給源に接続される電源コードＣ２と、電源コードＣ２による画像形成装置への電力の供給が行われているか否かを検知するための検知部（ゼロクロス信号生成部７１ｂ）と、回路部１００ｂへの電力供給のＯＮ／ＯＦＦを制御し、通常モードでは回路部１００ｂへの電力供給を行い、省電力モードでは全部又は一部の回路部１００ｂへの電力供給を停止し、操作部で省電力モードから通常モードに切り替える指示である移行指示がなされたとき、回路部１００ｂへの電力供給を開始して、起動させた回路部１００ｂと信号のやりとりを行う電力制御部（主制御部１）と、電源コードＣ２を経て画像形成装置に入力される電力を変換し、電源コードＣ２が供給源と接続された状態では、電力制御部に電力を供給して電力制御部を動作させ、又、電力制御部が電力供給をＯＮ状態とした回路部１００ｂに電力を供給する電源部７と、を含み、電力制御部は検知部を用いた画像形成装置への電力供給の停止が検知されたときである停止検知時、操作部が移行指示を受け付けても、回路部１００ｂへの電力供給を開始せず回路部１００ｂを起動させない。
【０１１４】
これにより、停電や電源コードＣ２の抜け落ちによって画像形成装置（プリンター１００）への電力供給が停止している状態で、回路部１００ｂ（通信部９、記憶部５、画像処理部６、エンジン制御部３０など）への電力供給を開始してしまうことを無くすことができる。従って、中途半端な起動処理が回路部１００ｂで行われないようにすることができる。又、画像形成装置への電力供給の停止が生じても、次の起動時（次の電力供給開始時）、誤った設定値が回路部１００ｂ内のメモリーに登録されることや、回路自体のダメージにより回路部１００ｂが起動しないという異常をなくすことができる。そして、次の起動時（次の電力供給開始時）に回路部１００ｂを確実かつ正常に起動させることができる。
【０１１５】
又、電力制御部（主制御部１）は停止検知時から予め定められた不起動時間が経過するまで、操作部（起動スイッチ１０）が移行指示を受け付けても、回路部１００ｂ（通信部９、記憶部５、画像処理部６、エンジン制御部３０など）への電力供給を開始せず回路部１００ｂを起動させない。これにより、停止検知時から不起動時間の間、回路部１００ｂへの電力供給を確実に開始しないようにすることができる。従って、回路部１００ｂの中途半端な起動処理を確実に避けることができる。「不起動時間」は任意に定めることができる時間であって、画像形成装置（プリンター１００）への電力供給を停止してから電源部７の出力電圧値が低下するのに要する時間を予め計測するなどして定めることができる。
【０１１６】
画像形成装置（プリンター１００）への電力供給が停止してから、電源部７の出力電圧値が電力制御部（主制御部１）や回路部１００ｂ（通信部９、記憶部５、画像処理部６、エンジン制御部３０など）の駆動電圧を下回るまでの時間は、供給停止時の画像形成装置での消費電力の大きさにより変化する。供給停止時の画像形成装置での消費電力が大きいほど、電源部７に蓄えられたエネルギーが早く消費され、電源部７の出力電圧値が回路部１００ｂの駆動電圧を下回るまでの時間は短くなる。そこで、本実施形態の画像形成装置は、省電力モードとして、第１省電力モードと、第１省電力モードより電力を供給する回路部１００ｂの数が多く通常モードより電力を供給する回路部１００ｂの数が少ない第２省電力モードを有し、操作部（起動スイッチ１０）は第１省電力モードから通常モードへの移行指示と、第２省電力モードから通常モードへの移行指示とを受け付け、電力制御部（主制御部１）は画像形成装置（への電力供給停止が検知されたのが第１省電力モードのとき、停止検知時から第１省電力モード用の第１不起動時間Ｔ１が経過するまで操作部が移行指示を受け付けても回路部１００ｂへの電力供給を開始せず（回路部１００ｂの全てへの電力供給を開始せず）、画像形成装置への電力供給停止が検知されたのが第２省電力モードのとき、停止検知時から第２省電力モード用の第２不起動時間Ｔ２が経過するまで、操作部が移行指示を受け付けても回路部１００ｂへの電力供給を開始せず、第１不起動時間Ｔ１は第２不起動時間Ｔ２よりも長い。これにより、各省電力モードでの消費電力の大きさに応じて、不起動時間を変化させるので、省電力モードが複数種あっても、回路部１００ｂの中途半端な起動処理を確実に避けることができる。
【０１１７】
尚、「第１不起動時間Ｔ１」は任意に定めることができる時間であって、第１省電力モードのとき画像形成装置（プリンター１００）への電力供給を停止してから電源部７の出力電圧値が、電力制御部（主制御部１）や回路部１００ｂ（通信部９、記憶部５、画像処理部６、エンジン制御部３０など）が起動しない程度まで低下するまでの時間などを予め計測するなどして定めることができる。又、「第２不起動時間Ｔ２」は任意に定めることができる時間であって、第２省電力モードのとき画像形成装置への電力供給を停止してから電源部７の出力電圧値が、電力制御部や回路部１００ｂが起動しない程度まで低下するまでの時間などを予め計測するなどして定めることができる。
【０１１８】
又、電力制御部（主制御部１）は電源部７の出力電圧の大きさを測定し、電源部７の出力電圧値が停止検知時から電力制御部又は回路部１００ｂ（通信部９、記憶部５、画像処理部６、エンジン制御部３０など）のうち最も小さい駆動電圧の回路部１００ｂが駆動しない大きさとなるまで、操作部（起動スイッチ１０）が移行指示を受け付けても、回路部１００ｂへの電力供給を開始せず回路部１００ｂに起動させない。
これにより、画像形成装置（プリンター１００）への電力供給が停止されている状態で、電源部７の出力電圧値が回路部１００ｂの駆動電圧を下回るまで、確実に回路部１００ｂへの電力供給を開始させないようにすることができる。
【０１１９】
又、電力制御部（主制御部１）は停止検知後、電源部７の出力電圧値が予め定められた大きさに回復してから、回路部１００ｂ（通信部９、記憶部５、画像処理部６、エンジン制御部３０など）への電力供給を開始して回路部１００ｂを起動させる。これにより、画像形成装置（プリンター１００）に供給する外部の電源の出力電圧値が不安定な場合や、電源コードＣ２の一部断線による接触不良などにより電源コードＣ２の挿抜が繰り返されているような状態でも、回路部１００ｂの中途半端な起動処理を確実に避けることができる。
【０１２０】
又、電力制御部（主制御部１）は停止検知時から不起動時間が経過するまでの間に電力制御部と回路部１００ｂ（通信部９、記憶部５、画像処理部６、エンジン制御部３０など）のいずれか一方、又は、両方を安全にシャットダウンするための予め定められたシャットダウン時処理を行う。これにより、停電やコンセントＣ１からの電源ケーブルの抜け落ちなどによりいきなり画像形成装置（プリンター１００）への電力供給が遮断されても、次の画像形成装置の起動時に、回路部１００ｂなどを正常に起動させることができる。
【０１２１】
以上、本発明の実施形態を説明したが、本発明の範囲はこれに限定されず、発明の主旨を逸脱しない範囲で種々の変更を加えて実施することができる。
【産業上の利用可能性】
【０１２２】
本発明は省電力モードと通常モードを有し、省電力モードから通常モードへの切替を行うための操作部を含む画像形成装置に利用可能である。
【符号の説明】
【０１２３】
１００    プリンター（画像形成装置）  １００ａ  負荷
１００ｂ  回路部                      １        主制御部（電力制御部）
３０      エンジン制御部（回路部１００ｂ）
５        記憶部（回路部１００ｂ）    ６        画像処理部（回路部１００ｂ）
７        電源部                      ７１ｂ    ゼロクロス信号生成部（検知部）
９        通信部（回路部１００ｂ）    １０      起動スイッチ（操作部）
Ｔ１      第１不起動時間              Ｔ２    第２不起動時間
Ｃ２      電源コード
【図１】
2015194600.tif 000003
【図２】
2015194600.tif 000004
【図３】
2015194600.tif 000005
【図５】
2015194600.tif 000006
【図４】
2015194600.tif 000007
【図６】
2015194600.tif 000008
【図７】
2015194600.tif 000009
【図８】
2015194600.tif 000010
【図９】
2015194600.tif 000011